(57)【要約】      （修正有）【課題】連結（複数の動画の連結）後の動画データや連結前の動画データに対して好適なメタデータ（静的メタデータ）を生成して付加することができる技術を提供する。【解決手段】本発明の画像処理装置１００は、複数の動画データを連結して、前記複数の動画データによってそれぞれ表された複数の動画を連結した連結動画を表す連結動画データを生成する連結手段と、メタデータを生成する生成手段と、連結動画データにメタデータを付加する付加手段と、を有する。複数の動画データのそれぞれには、動画のフレームおよびシーンに依存しない輝度を示す第１のメタデータとして、対応する動画全体の最大輝度を示すメタデータが付加されており、前記生成手段は、複数の動画データにそれぞれ付加された複数の第１のメタデータに基づいて、連結動画データに付加する第１のメタデータを生成する。【選択図】図１
2020102751.tif 000002
【特許請求の範囲】
【請求項１】
複数の動画データを連結して、前記複数の動画データによってそれぞれ表された複数の動画を連結した連結動画を表す連結動画データを生成する連結手段と、
メタデータを生成する生成手段と、
前記連結動画データに前記メタデータを付加する付加手段と、
を有し、
前記複数の動画データのそれぞれには、動画のフレームおよびシーンに依存しない輝度を示す第１のメタデータとして、対応する動画全体の最大輝度を示すメタデータが付加されており、
前記生成手段は、前記複数の動画データにそれぞれ付加された複数の第１のメタデータに基づいて、前記連結動画データに付加する第１のメタデータを生成する
ことを特徴とする画像処理装置。
【請求項２】
前記生成手段は、前記複数の第１のメタデータによってそれぞれ示された複数の輝度の最大輝度を示すメタデータを、前記連結動画データに付加する第１のメタデータとして生成する
ことを特徴とする請求項１に記載の画像処理装置。
【請求項３】
前記複数の動画データのそれぞれには、さらに、動画のフレームまたはシーンに依存して変化する輝度を示す第２のメタデータとして、対応する動画の各フレームまたは各シーンの最大輝度を示すメタデータが付加されており、
前記生成手段は、さらに、前記複数の動画データにそれぞれ付加された複数の第２のメタデータを連結して、前記連結動画データに付加する第２のメタデータを生成する
ことを特徴とする請求項１または２に記載の画像処理装置。
【請求項４】
動画を撮像して、当該動画を表す動画データである対象データを生成する撮像手段と、
前記対象データを、前記撮像手段によって生成された他の動画データに関連付けることが可能な関連付け手段と、
前記対象データに対して、動画のフレームおよびシーンに依存しない輝度を示す第１のメタデータとして、前記対象データによって表された動画全体の最大輝度を示すメタデータを生成する生成手段と、
前記対象データに対して生成された第１のメタデータを、前記対象データに付加する付加手段と、
前記対象データが前記他の動画データに関連付けられた場合に、前記他の動画データに付加された第１のメタデータと、前記対象データに付加される又は付加された前記第１のメタデータとに基づいて、前記他の動画データの前記第１のメタデータと、前記対象データの前記第１のメタデータとの少なくとも一方を更新する更新手段と、
を有することを特徴とする撮像装置。
【請求項５】
前記対象データが前記他の動画データに関連付けられた場合に、前記更新手段は、前記他の動画データの前記第１のメタデータと、前記対象データの前記第１のメタデータとが同じ輝度を示すように、前記他の動画データの前記第１のメタデータと、前記対象データの前記第１のメタデータとの少なくとも一方を更新する
ことを特徴とする請求項４に記載の撮像装置。
【請求項６】
前記関連付け手段は、前記対象データに識別情報を付加し、
前記他の動画データに付加された識別情報と同じ識別情報が前記対象データに付加されることで、前記対象データが前記他の動画データに関連付けられる
ことを特徴とする請求項４または５に記載の撮像装置。
【請求項７】
前記対象データが前記他の動画データに関連付けられ、且つ、前記他の動画データの前記第１のメタデータによって示された第１の輝度が、前記対象データの前記第１のメタデータによって示された第２の輝度よりも高い場合に、前記更新手段は、前記第１の輝度が示されるように、前記対象データの前記第１のメタデータを更新する
ことを特徴とする請求項４〜６のいずれか１項に記載の撮像装置。
【請求項８】
前記対象データが前記他の動画データに関連付けられ、且つ、前記他の動画データの前記第１のメタデータによって示された第１の輝度が、前記対象データの前記第１のメタデータによって示された第２の輝度よりも低い場合に、前記更新手段は、前記第２の輝度が示されるように、前記他の動画データの前記第１のメタデータを更新する
ことを特徴とする請求項４〜７のいずれか１項に記載の撮像装置。
【請求項９】
前記対象データが複数の他の動画データに関連付けられた場合に、前記更新手段は、前記対象データと前記複数の他の動画データとの複数の第１のメタデータによって示された複数の輝度の最大輝度が示されるように、前記複数の第１のメタデータの少なくともいずれかを更新する
ことを特徴とする請求項４〜８のいずれか１項に記載の撮像装置。
【請求項１０】
第２の動画を表す第２の動画データが生成され、前記第２の動画データが、第１の動画全体の最大輝度を示す第１のメタデータが付加された、前記第１の動画を表す第１の動画データに関連付けられると、
前記更新手段は、
前記第１の動画全体の最大輝度が前記第２の動画全体の最大輝度よりも高い場合に、前記第１の動画全体の最大輝度が示されるように、前記第２の動画データの第１のメタデータを更新し、
前記第１の動画全体の最大輝度が前記第２の動画全体の最大輝度よりも低い場合に、前記第２の動画全体の最大輝度が示されるように、前記第１の動画データの前記第１のメタデータを更新する
ことを特徴とする請求項４〜９のいずれか１項に記載の撮像装置。
【請求項１１】
第３の動画を表す第３の動画データが生成され、前記第３の動画データが、互いに関連付けられた前記第１の動画データと前記第２の動画データに関連付けられると、
前記更新手段は、
前記第１の動画データの前記第１のメタデータと、前記第２の動画データの前記第１のメタデータとのそれぞれによって示された共通の輝度が、前記第３の動画全体の最大輝度よりも高い場合に、前記共通の輝度が示されるように、前記第３の動画データの第１のメタデータを更新し、
前記共通の輝度が前記第３の動画全体の最大輝度よりも低い場合に、前記第３の動画全体の最大輝度が示されるように、前記第１の動画データの前記第１のメタデータと、前記第２の動画データの前記第１のメタデータとを更新する
ことを特徴とする請求項１０に記載の撮像装置。
【請求項１２】
複数の撮影モードのいずれかを設定する設定手段、をさらに有し、
前記更新手段は、前記設定手段によって設定された撮影モードに応じて、前記対象データが前記他の動画データに関連付けられた場合における前記第１のメタデータの更新を行うか否かを切り替える
ことを特徴とする請求項４〜１１のいずれか１項に記載の撮像装置。
【請求項１３】
前記生成手段は、前記対象データに対して、さらに、動画のフレームまたはシーンに依
存して変化する輝度を示す第２のメタデータとして、前記対象データによって表された動画の各フレームまたは各シーンの最大輝度を示すメタデータを生成し、
前記付加手段は、さらに、前記対象データに対して生成された前記第２のメタデータを、前記対象データに付加する
ことを特徴とする請求項４〜１２のいずれか１項に記載の撮像装置。
【請求項１４】
複数の動画データを連結して、前記複数の動画データによってそれぞれ表された複数の動画を連結した連結動画を表す連結動画データを生成する連結ステップと、
メタデータを生成する生成ステップと、
前記連結動画データに前記メタデータを付加する付加ステップと、
を有し、
前記複数の動画データのそれぞれには、動画のフレームおよびシーンに依存しない輝度を示す第１のメタデータとして、対応する動画全体の最大輝度を示すメタデータが付加されており、
前記生成ステップでは、前記複数の動画データにそれぞれ付加された複数の第１のメタデータに基づいて、前記連結動画データに付加する第１のメタデータを生成する
ことを特徴とする画像処理装置の制御方法。
【請求項１５】
撮像手段で、動画を撮像して、当該動画を表す動画データである対象データを生成する撮像ステップと、
前記対象データを、前記撮像手段によって生成された他の動画データに関連付けることが可能な関連付けステップと、
前記対象データに対して、動画のフレームおよびシーンに依存しない輝度を示す第１のメタデータとして、前記対象データによって表された動画全体の最大輝度を示すメタデータを生成する生成ステップと、
前記対象データに対して生成された第１のメタデータを、前記対象データに付加する付加ステップと、
前記対象データが前記他の動画データに関連付けられた場合に、前記他の動画データに付加された第１のメタデータと、前記対象データに付加される又は付加された前記第１のメタデータとに基づいて、前記他の動画データの前記第１のメタデータと、前記対象データの前記第１のメタデータとの少なくとも一方を更新する更新ステップと、
を有することを特徴とする撮像装置の制御方法。
【請求項１６】
コンピュータを、請求項１〜３のいずれか１項に記載の画像処理装置の各手段として機能させるためのプログラム。
【請求項１７】
コンピュータを、請求項４〜１３のいずれか１項に記載の撮像装置の各手段として機能させるためのプログラム。
【発明の詳細な説明】
【技術分野】
【０００１】
本発明は、画像処理装置、撮像装置、画像処理装置の制御方法、及び、撮像装置の制御方法に関する。
【背景技術】
【０００２】
近年、動画全体の最大輝度を示すメタデータ（静的メタデータ）を用いてトーンマップを決定し、動画全体の最大輝度に応じたＨＤＲ（ハイダイナミックレンジ）表示を行う技術が普及している。さらに、動画の各フレームや各シーンの最大輝度を示すメタデータ（動的メタデータ）を用いてトーンマップを順次（各フレームや各シーンで）変更することで、ＨＤＲ表示を順次変更する技術が普及し始めている。特許文献１には、ポストプロダクションの画像データ編集工程において、１つの動画（動画データ）を複数の動画（動画データ）に分割する際に、複数の動画データのそれぞれに対して、静的メタデータと動的メタデータを生成して付加する技術が開示されている。
【先行技術文献】
【特許文献】
【０００３】
【特許文献１】国際公開第２０１５／０１７３１４号
【発明の概要】
【発明が解決しようとする課題】
【０００４】
しかしながら、特許文献１に開示の技術は動画を分割する際の技術であるため、特許文献１に開示の技術を用いても、複数の動画を連結する際に、連結後の動画データに対して好適な静的メタデータを生成して付加することが難しい。また、連結を想定した動画データ（連結前の動画データ）に対して好適な静的メタデータ（連結を想定した静的メタデータ）を生成して付加することが難しい。
【０００５】
本発明は、連結（複数の動画の時間軸方向における連結）後の動画データや連結前の動画データに対して好適なメタデータ（静的メタデータ）を生成して付加することができる技術を提供することを目的とする。
【課題を解決するための手段】
【０００６】
本発明の第１の態様は、
複数の動画データを連結して、前記複数の動画データによってそれぞれ表された複数の動画を連結した連結動画を表す連結動画データを生成する連結手段と、
メタデータを生成する生成手段と、
前記連結動画データに前記メタデータを付加する付加手段と、
を有し、
前記複数の動画データのそれぞれには、動画のフレームおよびシーンに依存しない輝度を示す第１のメタデータとして、対応する動画全体の最大輝度を示すメタデータが付加されており、
前記生成手段は、前記複数の動画データにそれぞれ付加された複数の第１のメタデータに基づいて、前記連結動画データに付加する第１のメタデータを生成する
ことを特徴とする画像処理装置である。
【０００７】
本発明の第２の態様は、
動画を撮像して、当該動画を表す動画データである対象データを生成する撮像手段と、
前記対象データを、前記撮像手段によって生成された他の動画データに関連付けることが可能な関連付け手段と、
前記対象データに対して、動画のフレームおよびシーンに依存しない輝度を示す第１のメタデータとして、前記対象データによって表された動画全体の最大輝度を示すメタデータを生成する生成手段と、
前記対象データに対して生成された第１のメタデータを、前記対象データに付加する付加手段と、
前記対象データが前記他の動画データに関連付けられた場合に、前記他の動画データに付加された第１のメタデータと、前記対象データに付加される又は付加された前記第１のメタデータとに基づいて、前記他の動画データの前記第１のメタデータと、前記対象データの前記第１のメタデータとの少なくとも一方を更新する更新手段と、
を有することを特徴とする撮像装置である。
【０００８】
本発明の第３の態様は、
複数の動画データを連結して、前記複数の動画データによってそれぞれ表された複数の動画を連結した連結動画を表す連結動画データを生成する連結ステップと、
メタデータを生成する生成ステップと、
前記連結動画データに前記メタデータを付加する付加ステップと、
を有し、
前記複数の動画データのそれぞれには、動画のフレームおよびシーンに依存しない輝度を示す第１のメタデータとして、対応する動画全体の最大輝度を示すメタデータが付加されており、
前記生成ステップでは、前記複数の動画データにそれぞれ付加された複数の第１のメタデータに基づいて、前記連結動画データに付加する第１のメタデータを生成する
ことを特徴とする画像処理装置の制御方法である。
【０００９】
本発明の第４の態様は、
撮像手段で、動画を撮像して、当該動画を表す動画データである対象データを生成する撮像ステップと、
前記対象データを、前記撮像手段によって生成された他の動画データに関連付けることが可能な関連付けステップと、
前記対象データに対して、動画のフレームおよびシーンに依存しない輝度を示す第１のメタデータとして、前記対象データによって表された動画全体の最大輝度を示すメタデータを生成する生成ステップと、
前記対象データに対して生成された第１のメタデータを、前記対象データに付加する付加ステップと、
前記対象データが前記他の動画データに関連付けられた場合に、前記他の動画データに付加された第１のメタデータと、前記対象データに付加される又は付加された前記第１のメタデータとに基づいて、前記他の動画データの前記第１のメタデータと、前記対象データの前記第１のメタデータとの少なくとも一方を更新する更新ステップと、
を有することを特徴とする撮像装置の制御方法である。
【００１０】
本発明の第５の態様は、コンピュータを、上述した画像処理装置の各手段として機能させるためのプログラムである。本発明の第６の態様は、コンピュータを、上述した撮像装置の各手段として機能させるためのプログラムである。
【発明の効果】
【００１１】
本発明によれば、連結（複数の動画の連結）後の動画データや連結前の動画データに対して好適なメタデータ（静的メタデータ）を生成して付加することができる。
【図面の簡単な説明】
【００１２】
【図１】実施例１に係る画像処理装置の構成例を示すブロック図
【図２】実施例１に係る連結動画データ生成処理の一例を示すフローチャート
【図３】実施例１に係る連結対象の動画データの一例を示す模式図
【図４】実施例１に係る連結動画データの一例を示す模式図
【図５】実施例２に係る撮像装置の構成例を示すブロック図
【図６】実施例２に係る撮影処理の一例を示すフローチャート
【図７】実施例２に係る撮影処理の具体例を示す模式図
【発明を実施するための形態】
【００１３】
＜実施例１＞
以下に、本発明の実施例１について説明する。図１は、本実施例に係る画像処理装置１００の構成例を示すブロック図である。画像処理装置１００は、記憶部１０１、メタデータ抽出部１０２、メタデータ生成部１０３、動画データ連結部１０４、メタデータ付加部１０５、ＣＰＵ１０６、ＲＡＭ１０７、ＲＯＭ１０８、及び、操作部１０９を有する。
【００１４】
記憶部１０１は、ＣＦ（コンパクトフラッシュ）カード等のランダムアクセスの記録媒体であり、記憶部１０１には、静的メタデータと動的メタデータが付与された動画データが記録されている。記憶部１０１は、画像処理装置１００から取り外し可能であり、画像処理装置１００以外の装置（撮像装置など）に装着することが可能である。なお、記憶部１０１は、画像処理装置１００に対して着脱不可能な内蔵の記録媒体であってもよい。
【００１５】
本実施例では、ＭＰＥＧ−４  ＡＶＣまたはＨＥＶＣ（Ｈｉｇｈ  Ｅｆｆｉｃｉｅｎｃｙ  Ｖｉｄｅｏ  Ｃｏｄｉｎｇ）で符号化された動画データが記憶部１０１に記録されているものとする。静的メタデータは、ＭＰＥＧ−４  ＡＶＣまたはＨＥＶＣのデスクリプタとして付加されているものとする。動的メタデータは、ＭＰＥＧ−４  ＡＶＣまたはＨＥＶＣのＳＥＩ（Ｓｕｐｐｌｅｍｅｎｔａｌ  Ｅｎｈａｎｃｅｍｅｎｔ  Ｉｎｆｏｒｍａｔｉｏｎ）に付加されているものとする。なお、動画データの符号化の方法、静的メタデータの付加方法、及び、動的メタデータの付加方法は特に限定されない。
【００１６】
静的メタデータは、動画のフレームおよびシーンに依存しない輝度を示すメタデータであり、本実施例では、対応する動画全体（静的メタデータが付加された動画全体）の最大輝度を示すメタデータであるとする。動的メタデータは、動画のフレームまたはシーンに依存して変化する輝度を示すメタデータであり、本実施例では、対応する動画の各フレームまたは各シーンの最大輝度を示すメタデータであるとする。
【００１７】
メタデータ抽出部１０２は、操作部１０９に対するユーザ操作に応じて記憶部１０１から動画データを取得し、取得した動画データから静的メタデータと動的メタデータを抽出する。メタデータ抽出部１０２は、抽出した静的メタデータと動的メタデータをメタデータ生成部１０３へ出力する。さらに、メタデータ抽出部１０２は、取得した動画データを動画データ連結部１０４へ出力する。本実施例では、メタデータ抽出部１０２は、ＭＰＥＧ−４  ＡＶＣまたはＨＥＶＣに基づく復号処理を、取得した動画データに施す。そして、メタデータ抽出部１０２は、復号処理後の動画データを動画データ連結部１０４へ出力する。
【００１８】
メタデータ生成部１０３は、連結動画データ（動画データ連結部１０４で生成される動画データ）に付加する静的メタデータと動的メタデータを生成し、生成した静的メタデータと動的メタデータをメタデータ付加部１０５へ出力する。本実施例では、メタデータ生成部１０３は、メタデータ抽出部１０２から出力された複数の静的メタデータ（連結対象の複数の動画データにそれぞれ付加された複数の静的メタデータ）に基づいて、連結動画
データの静的メタデータを生成する。これにより、連結動画データの静的メタデータとして好適なメタデータを生成することができる。さらに、本実施例では、メタデータ生成部１０３は、メタデータ抽出部１０２から出力された複数の動的メタデータ（連結対象の複数の動画データにそれぞれ付加された複数の動的メタデータ）を連結して、連結動画データの動的メタデータを生成する。これにより、連結動画データの動的メタデータとして好適なメタデータを生成することができる。
【００１９】
動画データ連結部１０４は、メタデータ抽出部１０２から出力された複数の動画データを連結して、当該複数の動画データによってそれぞれ表された複数の動画を連結した連結動画を表す連結動画データを生成する。そして、動画データ連結部１０４は、連結動画データをメタデータ付加部１０５へ出力する。
【００２０】
メタデータ付加部１０５は、動画データ連結部１０４から出力された連結動画データに、メタデータ生成部１０３から出力された静的メタデータと動的メタデータを付加し、メタデータが付加された後の連結動画データを記憶部１０１に記録する。本実施例では、メタデータ付加部１０５は、ＭＰＥＧ−４  ＡＶＣまたはＨＥＶＣに基づく符号化処理を連結動画データに施す。そして、メタデータ付加部１０５は、静的メタデータを、ＭＰＥＧ−４  ＡＶＣまたはＨＥＶＣのデスクリプタとして付加し、動的メタデータを、ＭＰＥＧ−４  ＡＶＣまたはＨＥＶＣのＳＥＩに付加する。
【００２１】
ＣＰＵ１０６は、画像処理装置１００が有する他のブロックに、不図示の内部バスを介して接続されている。ＣＰＵ１０６は、画像処理装置１００の処理を制御する。ＲＡＭ１０７は、画像処理装置１００が有する他のブロックに、不図示の内部バスを介して接続されている。ＲＡＭ１０７は、ＣＰＵ１０６のワークエリアや、種々のデータを一時的に記憶する一時記憶領域として使用される。ＲＯＭ１０８は、画像処理装置１００が有する他のブロックに、不図示の内部バスを介して接続されている。ＲＯＭ１０８には、ＣＰＵ１０６の処理に係るファームウェア、ＣＰＵ１０６の処理に係る情報、等が予め記録されている。
【００２２】
操作部１０９は、不図示の内部バスを介してＣＰＵ１０６に接続されている。操作部１０９は、ユーザ操作を受け付ける入力部としての各種操作部材である。さらに、操作部１０９は、不図示のタッチパネルと液晶パネルを有し、表示される機能アイコンを各種機能ボタンとして作用させる。例えば、操作部１０９は、記憶部１０１が記憶する複数の動画データから連結対象の複数の動画データを選択し、選択した複数の動画データの連結を指示するユーザ操作（動画データ連結操作）を受け付けることができる。メタデータ抽出部１０２は、動画データ連結操作に応じて、記憶部１０１から複数の動画データ（ユーザによって選択された複数の動画データ）を取得する。
【００２３】
図２は、画像処理装置１００の連結動画データ生成処理（連結動画データを生成して記録する処理）の一例を示すフローチャートである。図２の連結動画データ生成処理は、上述した動画データ連結操作を操作部１０９が受け付けたことをＣＰＵ１０６が検知することで開始し、ＣＰＵ１０６が画像処理装置１００の各ブロックを制御することにより実現される。
【００２４】
Ｓ２０１にて、メタデータ抽出部１０２は、動画データ連結操作によって選択された複数の動画データを記憶部１０１から読み出す。ここでは、図３に示す動画データＡ，Ｂが読み出されたとする。
【００２５】
図３は、連結対象の動画データの一例である動画データＡ，Ｂを示す模式図である。動画データＡは、シーンＡ１とシーンＡ２の２シーンで構成されている。動画データＡの動
的メタデータは、シーンＡ１の最大輝度（シーン最大輝度）「４００」と、シーンＡ２のシーン最大輝度「２５０」とを示す。従って、動画データＡによって表された動画全体の最大輝度（動画最大輝度）はシーンＡ１のシーン最大輝度「４００」と同じ輝度となり、動画データＡの静的メタデータは、動画データＡの動画最大輝度「４００」を示す。動画データＢは１つのシーンＢ１で構成されている。従って、動画データＢの動的メタデータは、動画データＢの静的メタデータによって示された輝度と同じ輝度を示す。具体的には、動画データＢの動的メタデータは、シーンＢ１のシーン最大輝度「５００」を示し、動画データＢの静的メタデータは、動画データＢの動画最大輝度「５００」を示す。
【００２６】
Ｓ２０２にて、メタデータ抽出部１０２は、Ｓ２０１で取得した動画データＡ，Ｂから静的メタデータと動的メタデータを抽出し、抽出した静的メタデータと動的メタデータをメタデータ生成部１０３へ出力する。さらに、メタデータ抽出部１０２は、動画データＡ，Ｂを動画データ連結部１０４へ出力する。
【００２７】
Ｓ２０３にて、メタデータ生成部１０３は、メタデータ抽出部１０２から出力された複数の静的メタデータと複数の動的メタデータに基づいて、連結動画データに付加する静的メタデータと動的メタデータを生成する。そして、メタデータ生成部１０３は、生成した静的メタデータと動的メタデータをメタデータ付加部１０５へ出力する。
【００２８】
本実施例では、メタデータ生成部１０３は、メタデータ抽出部１０２から出力された複数の静的メタデータによってそれぞれ示された複数の輝度の最大輝度を示すメタデータを、連結動画データの静的メタデータとして生成する。上述したように、動画データＡの静的メタデータは動画データＡの動画最大輝度「４００」を示し、動画データＢの静的メタデータは動画データＢの動画最大輝度「５００」を示す。このため、メタデータ生成部１０３は、輝度「５００」を示すメタデータを連結動画データの静的メタデータとして生成する。
【００２９】
上述したように、メタデータ生成部１０３は、メタデータ抽出部１０２から出力された複数の動的メタデータを連結して、連結動画データの動的メタデータを生成する。具体的には、メタデータ生成部１０３は、複数の動的メタデータを単純に繋ぎ合わせて、連結動画データの動的メタデータを生成する。つまり、メタデータ生成部１０３は、シーンＡ２にシーンＢ１が続くようにシーンＡ１，Ａ２，Ｂ１を順番に示すメタデータを、連結動画データの動画メタデータとして生成する。連結動画データの動画メタデータでも、シーンＡ１のシーン最大輝度として輝度「４００」、シーンＡ２のシーン最大輝度として輝度「２５０」、シーンＢ１のシーン最大輝度として輝度「５００」が示される。
【００３０】
Ｓ２０４にて、動画データ連結部１０４は、メタデータ抽出部１０２から出力された動画データＡ，Ｂを連結して、図４に示す連結動画データＣを生成する。そして、動画データ連結部１０４は、連結動画データをメタデータ付加部１０５へ出力する。
【００３１】
図４は、動画データＡ，Ｂを連結して生成された連結動画データＣを示す模式図である。図４に示すように、連結動画データＣでは、動画データＡのシーンＡ１，Ａ２に、動画データＢのシーンＢ１が続く。そして、連結動画データＣでも、シーンＡ１のシーン最大輝度は輝度「４００」、シーンＡ２のシーン最大輝度は輝度「２５０」、シーンＢ１のシーン最大輝度は輝度「５００」である。このことから、Ｓ２０３にて、各シーンのシーン最大輝度を正確に示すメタデータが連結動画データＣの動的メタデータとして生成できているということがわかる。
【００３２】
さらに、図４に示すように、動画データＡのシーンＡ１，Ａ２に動画データＢのシーンＢ１が続く連結動画データＣの動画最大輝度は、シーンＢ１のシーン最大輝度「５００」
と同じ輝度となる。このことから、Ｓ２０３にて、連結動画データＣの動画最大輝度を正確に示すメタデータが連結動画データＣの静的メタデータとして生成できているということがわかる。
【００３３】
Ｓ２０５にて、メタデータ付加部１０５は、Ｓ２０４で生成された連結動画データＣに、Ｓ２０３で生成された静的メタデータと動的メタデータを付加する。
【００３４】
Ｓ２０６にて、メタデータ付加部１０５は、Ｓ２０５の付加後の連結動画データＣ（静的メタデータと動的メタデータが付加された後の連結動画データＣ）を、記憶部１０１に記録する。
【００３５】
以上述べたように、本実施例によれば、連結動画データに対して好適なメタデータを生成して付加することができる。
【００３６】
なお、本実施例では静的メタデータと動的メタデータを生成して連結動画データに付加する例を説明したが、動的メタデータに関する処理を行わずに、静的メタデータを生成して連結動画データに付加してもよい。動的メタデータに関する処理は、記憶部１０１から読み出した動画データの動的メタデータを抽出する処理、連結動画データの動的メタデータを生成する処理、動的メタデータを連結動画データに付加する処理などである。
【００３７】
なお、本実施例では２つの動画データＡ，Ｂを連結する例を説明したが、連結対象の動画データの数は３つ以上であってもよい。
【００３８】
なお、本実施例では連結動画全体の最大輝度が示されるように連結動画データの静的メタデータを生成する例を説明したが、連結動画データの静的メタデータは他の輝度を示してもよい。例えば、複数の静的メタデータ（連結対象の複数の動画データにそれぞれ付加された複数の静的メタデータ）によってそれぞれ示された複数の輝度の平均輝度を示すメタデータを、連結動画データの静的メタデータとして生成してもよい。このようにすれば、連結動画データの静的メタデータに応じた表示輝度（表示面上の輝度）で連結動画を表示面に表示する場合に、連結動画全体に亘って連結前からの表示輝度の変化を低減できる。複数の輝度の他の代表輝度（最小輝度、最頻輝度、中間輝度など）を示すメタデータを、連結動画データの静的メタデータとして生成してもよい。
【００３９】
＜実施例２＞
以下に、本発明の実施例２について説明する。図５は、本実施例に係る撮像装置５００の構成例を示すブロック図である。撮像装置５００は、撮像光学系５０１、撮像素子５０２、撮像制御部５０３、特徴量取得部５０４、メタデータ生成部５０５、メタデータ付加部５０６、記憶部５０７、メタデータ更新部５０８、ＣＰＵ５０９、ＲＡＭ５１０、ＲＯＭ５１１、及び、操作部５１２を有する。
【００４０】
撮像光学系５０１は、被写体を表す光学像を撮像素子５０２に結像（形成）する。撮像光学系５０１は、例えば、ズームレンズやフォーカスレンズ等のレンズ群、絞り調整装置、シャッター装置などを有する。
【００４１】
撮像素子５０２は、被写体を表す動画（被写体像）を撮像して、当該動画を表す動画データを生成する。本実施例では、撮像素子５０２で生成された現在の動画データ（記憶部５０７へ記録する対象の動画データ）を「対象データ」と記載する。具体的には、撮像素子５０２は、結像された光学像（被写体から撮像光学系５０１を介して入射した光）をアナログ電気信号に変換する光電変換処理を行う。そして、撮像素子５０２は、光電変換処理によって得られたアナログ電気信号をデジタル電気信号（動画の１フレームの画像デー
タ；フレーム画像データ）に変換するＡＤ変換処理（アナログ−デジタル変換処理）をさらに行う。その後、撮像素子５０２は、ＡＤ変換処理によって得られたフレーム画像データを、特徴量取得部５０４とメタデータ付加部５０６へ出力する。撮像素子５０２は、これらの処理を繰り返すことで、動画の複数のフレームにそれぞれ対応する複数のフレーム画像データを順次出力する。
【００４２】
撮像制御部５０３は、撮像装置５００の撮像条件を制御する。本実施例では、撮像制御部５０３は、撮像装置５００に対するユーザ操作や、撮像装置５００の状態などに応じて、撮像装置５００の露出（露出条件）を制御する。例えば、撮像制御部５０３は、絞りや、撮像素子の電荷蓄積時間などを制御することにより、露出を制御する。具体的には、撮像制御部５０３は、ユーザによって指定されたゲイン値、シャッター速度、絞り値などに応じて、撮像光学系５０１の状態や、撮像素子５０２の処理などを制御することにより、露出を制御する。さらに、撮像制御部５０３は、撮像装置５００に対するユーザ操作や、撮像装置５００の状態などに応じて、撮像装置５００のフォーカスを制御する。例えば、撮像制御部５０３は、フォーカスレンズの駆動量や駆動方向などを制御することにより、フォーカスを制御する。具体的には、ＡＦ（オートフォーカス）撮影モードが設定されている場合に、撮像制御部５０３は、フォーカスレンズの位置を所定位置にして、フレーム画像（動画の１フレームの画像）のコントラストの形状（分布）を算出する。そして、撮像制御部５０３は、フレーム画像内の複数の位置のうち、コントラストが最も高い位置を、撮像素子５０２で光束を合焦させる位置（フォーカス位置）としてＡＦ制御を行う。
【００４３】
特徴量取得部５０４は、撮像素子５０２から出力されたフレーム画像データの特徴量（フレーム特徴量）を、当該フレーム画像データから取得する。本実施例では、特徴量取得部５０４は、フレーム画像データによって表された１フレームの画像の最大輝度（フレーム最大輝度）を取得し、取得したフレーム最大輝度をメタデータ生成部５０５へ出力する。本実施例では、対象データによって表された動画（対象動画）の複数のフレームにそれぞれ対応する複数のフレーム最大輝度が特徴量取得部５０４から順次出力される。
【００４４】
メタデータ生成部５０５は、対象データに対して、静的メタデータと動的メタデータを生成する。換言すれば、メタデータ生成部５０５は、対象データに付加する静的メタデータと動的メタデータを生成する。本実施例では、メタデータ生成部５０５は、特徴量取得部５０４から順次出力された複数のフレーム最大輝度に基づいて、対象データの動画最大輝度を示す静的メタデータと、対象データのシーン最大輝度を示す動的メタデータとを生成する。メタデータ生成部５０５は、生成した静的メタデータと動的メタデータをメタデータ付加部５０６へ出力する。
【００４５】
メタデータ付加部５０６は、撮像素子５０２によって生成された対象データ（撮像素子５０２から順次出力された複数のフレーム画像データからなる動画データ）に対して、メタデータ生成部５０５から出力された静的メタデータと動的メタデータを付加する。さらに、メタデータ付加部５０６は、対象データを、撮像素子５０２によって過去に生成された他の動画データに関連付けることが可能である。本実施例では、メタデータ付加部５０６は、対象データに識別情報（識別子）を付加する。対象データを他の動画データに関連付ける場合には、他の動画データに付加された識別情報と同じ識別情報が対象データに付加される。対象データを他の動画データに関連付けない場合には、他の動画データに付加された識別情報と異なる識別情報が対象データに付加される。メタデータ付加部５０６は、静的メタデータ、動的メタデータ、及び、識別情報が付加された後の対象データを、記憶部５０７に記録する。
【００４６】
なお、識別情報の付加方法は特に限定されない。例えば、静的メタデータの一部として付加情報を付加してもよい。対象データのファイル名の少なくとも一部として識別情報を
付加（記述）してもよい。例えば、識別情報に対応する文字列の後にファイル番号を記述した文字列を、ファイル名として使用してもよい。識別情報は自動で生成してもよいし、ユーザ操作に応じて手動で生成してもよい。ＣＰＵ５０９によって設定された撮影モードに応じて、識別情報を自動で生成するか手動で生成するかを切り替えてもよい。関連付けの方法は識別情報を用いた方法に限らない。例えば、複数の動画データの関連付けを管理する管理テーブルを用いて、複数の動画データの関連付けが行われてもよい。
【００４７】
記憶部５０７は、ＣＦ（コンパクトフラッシュ）カード等のランダムアクセスの記録媒体であり、メタデータ付加部５０６から出力された動画データ（静的メタデータ、動的メタデータ、及び、識別情報が付加された後の動画データ）を記憶する。記憶部５０７は、撮像装置５００から取り外し可能であり、撮像装置５００以外の装置（画像処理装置など）に装着することが可能である。なお、記憶部５０７は、撮像装置５００に対して着脱不可能な内蔵の記録媒体であってもよい。
【００４８】
メタデータ更新部５０８は、対象データが他の動画データに関連付けられた場合に、他の動画データの静的メタデータと対象データの静的メタデータとに基づいて、（それらが同じ輝度を示すように）それらの少なくとも一方を更新する。動的メタデータは更新されない。これらにより、連結することを想定した動画データ（連結前の動画データ）に対して好適な静的メタデータと動的メタデータ（連結を想定した静的メタデータと動的メタデータ）を生成して付加することができる。本実施例では、対象データが他の動画データに関連付けられた場合に、メタデータ更新部５０８は、それらの動画データを記憶部５０７から読み出し、読み出した複数の動画データの少なくともいずれかの静的メタデータを更新する。ＣＰＵ５０９によって設定された撮影モードに応じて、このような更新を行うか否かを切り替えてもよい。
【００４９】
ＣＰＵ５０９は、撮像装置５００が有する他のブロックに、不図示の内部バスを介して接続されている。ＣＰＵ５０９は、撮像装置５００の処理を制御する。ＲＡＭ５１０は、撮像装置５００が有する他のブロックに、不図示の内部バスを介して接続されている。ＲＡＭ５１０は、ＣＰＵ５０９のワークエリアや、種々のデータを一時的に記憶する一時記憶領域として使用される。ＲＯＭ５１１は、撮像装置５００が有する他のブロックに、不図示の内部バスを介して接続されている。ＲＯＭ５１１には、ＣＰＵ５０９の処理に係るファームウェア、ＣＰＵ５０９の処理に係る情報、等が予め記録されている。
【００５０】
操作部５１２は、不図示の内部バスを介してＣＰＵ５０９に接続されている。操作部５１２は、ユーザ操作を受け付ける入力部としての各種操作部材である。操作部５１２は、撮影を開始するための撮影開始ボタン、動画撮影モードを設定するための動画撮影モード選択ボタン、フォーカス動作のオート制御／マニュアル制御を切り替えるための切替スイッチ、フォーカス調整操作を行うためのフォーカスリング等を含む。さらに、操作部１０９は、不図示のタッチパネルと液晶パネルを有し、表示される機能アイコンを各種機能ボタンとして作用させる。機能ボタンは、撮影開始ボタン、動画撮影モード選択ボタン、ホワイトバランス設定ボタン、ＩＳＯ感度設定ボタンなどを含む。ＣＰＵ５０９は、動画撮影モード選択ボタンに対するユーザ操作に応じて、撮影モードを設定したり、設定されている撮影モードを変更したりする。さらに、操作部５１２は、識別情報を指定するユーザ操作（識別情報指定操作）を受け付けることができる。メタデータ付加部５０６は、識別情報指定操作に応じた識別情報（ユーザによって指定された識別情報）を対象データに付加する。
【００５１】
図６は、撮像装置５００の撮影処理の一例を示すフローチャートである。図６の撮影処理は、ユーザによる撮影開始操作を操作部５１２が受け付けたことをＣＰＵ５０９が検知することで開始し、ＣＰＵ５０９が撮像装置５００の各ブロックを制御することにより実
現される。撮影開始操作は、例えば、撮像装置５００の非撮影状態において操作部５１２の撮影開始ボタンを押下するユーザ操作である。
【００５２】
Ｓ６０１にて、特徴量取得部５０４は、撮像素子５０２から出力されたフレーム画像データのフレーム最大輝度ＬＭＡＸ＿ＮＯＷの取得を開始する。特徴量取得部５０４は、フレーム最大輝度ＬＭＡＸ＿ＮＯＷをメタデータ生成部５０５へ出力する。フレーム最大輝度ＬＭＡＸ＿ＮＯＷは、現在のタイミングｔＮＯＷで生成されたフレーム画像データのフレーム最大輝度である。
【００５３】
Ｓ６０２にて、メタデータ生成部５０５は、現在のタイミングｔＮＯＷのフレーム最大輝度ＬＭＡＸ＿ＮＯＷに基づいて、対象データの静的メタデータと動的メタデータ（シーン最大輝度と動画最大輝度）を生成／更新する。本実施例では、対象動画の撮影中に、対象データのフレームレートで、フレーム最大輝度ＬＭＡＸ＿ＮＯＷが更新され、Ｓ６０２の処理が繰り返される。１回目のＳ６０２では、メタデータ生成部５０５は、フレーム最大輝度ＬＭＡＸ＿ＮＯＷを、シーン最大輝度および動画最大輝度としてＲＡＭ５１０に記録する。２回目以降のＳ６０２では、メタデータ生成部５０５は、フレーム最大輝度ＬＭＡＸ＿ＮＯＷを、ＲＡＭ５１０に記録された輝度（記録輝度；シーン最大輝度および動画最大輝度）と比較する。そして、フレーム最大輝度ＬＭＡＸ＿ＮＯＷが記録輝度よりも高い場合に、メタデータ生成部５０５は、記録輝度をフレーム最大輝度ＬＭＡＸ＿ＮＯＷで更新する。
【００５４】
Ｓ６０３にて、ＣＰＵ５０９は、ユーザによる撮影終了操作を操作部５１２が受け付けたか否かを判断する。撮影終了操作は、例えば、撮像装置５００の撮影状態において操作部５１２の撮影終了ボタンを押下するユーザ操作である。撮影終了操作がなかったと判断された場合（Ｓ６０３：ＮＯ）はＳ６０２に処理が戻され、撮影終了操作があったと判断された場合（Ｓ６０３：ＹＥＳ）はＳ６０４に処理が進められる。Ｓ６０３からＳ６０４に処理が進む際に、メタデータ生成部５０５は、対象データの静的メタデータと動的メタデータ（シーン最大輝度と動画最大輝度）を、ＲＡＭ５１０から読み出して、メタデータ付加部５０６へ出力する。
【００５５】
Ｓ６０４にて、メタデータ付加部５０６は、メタデータ生成部５０５から出力された静的メタデータと動的メタデータを、対象データ（撮像素子５０２から順次出力された複数のフレーム画像データからなる動画データ）に付加する。さらに、メタデータ付加部５０６は、対象データに識別情報を付加する。
【００５６】
Ｓ６０５にて、メタデータ付加部５０６は、静的メタデータ、動的メタデータ、及び、識別情報が付加された後の対象データを、記憶部５０７に記録する。
【００５７】
Ｓ６０６にて、ＣＰＵ５０９は、対象データの識別情報と同じ識別情報が付加された動画データが存在する（記憶部５０７に記録されている）か否かを判断する。つまり、ＣＰＵ５０９は、対象データが他の動画データに関連付けられたか否かを判断する。対象データの識別情報と同じ識別情報が付加された動画データが存在しない、つまり対象データが他の動画データに関連付けられなかったと判断された場合（Ｓ６０６：ＮＯ）は、図６の撮影処理が終了する。対象データの識別情報と同じ識別情報が付加された動画データが存在する、つまり対象データが他の動画データに関連付けられたと判断された場合（Ｓ６０６：ＹＥＳ）は、Ｓ６０７に処理が進められる。
【００５８】
Ｓ６０７では、メタデータ更新部５０８は、対象データに関連付けられた他の動画データの静的メタデータと、対象データの静的メタデータとに基づいて、それらの少なくとも一方を更新する。本実施例では、他の動画データの静的メタデータによって示された輝度
（第１の輝度）が、対象データの静的メタデータによって示された輝度（第２の輝度）よりも高い場合に、第１の輝度が示されるように、対象データの静的メタデータを更新する。第１の輝度が第２の輝度よりも低い場合には、第２の輝度が示されるように、他の動画データの静的メタデータを更新する。その結果、更新後には、他の動画データの静的メタデータも対象データの静的メタデータも、対象データと他の動画データを連結して生成される連結動画データの動画最大輝度を示すようになる。なお、第１の輝度が第２の輝度と等しい場合には、他の動画データの静的メタデータも対象データの静的メタデータも更新されない。
【００５９】
なお、図６の撮影処理では、対象データの動的メタデータとして、対象データの静的メタデータが同じメタデータが生成されて付加されるが、これに限らない。例えば、Ｓ６０２では動的メタデータの生成や更新を行わず、Ｓ６０５では動的メタデータの付加を行わないとしてもよい。その代わりに、Ｓ６０２の前に、メタデータ付加部５０６が、現在のタイミングｔＮＯＷのフレーム最大輝度ＬＭＡＸ＿ＮＯＷを動的メタデータの一部として現在のタイミングｔＮＯＷのフレーム画像データに付加してもよい。この場合は、対象動画の各フレームのフレーム最大輝度を示す動的メタデータが生成されて対象データに付加されることになる。動的メタデータは対象データに付加されているが静的メタデータは対象データに付加されていないといった期間が生じるが、最終的には動的メタデータも静的メタデータも付加された対象データが得られる。対象動画の撮影中にシーンの切り替わりを自動または手動で検出し、対象動画の各シーンのシーン最大輝度を示す動的メタデータを生成して対象データに付加してもよい。
【００６０】
図７（Ａ）〜７（Ｇ）を用いて、図６の撮影処理の具体例について説明する。図７（Ａ）〜７（Ｇ）は、動画データのフレーム最大輝度の時間変化、シーン最大輝度（動的メタデータ）、動画最大輝度（静的メタデータ）などの一例を示す模式図である。図６の撮影処理では、１つのシーンで構成された動画を表す動画データ（対象データ）が生成されて記録される。このため、図７（Ａ）〜７（Ｇ）に示された動画データＤ１〜Ｄ３のそれぞれは、１つのシーンで構成された動画を表す。
【００６１】
まず、タイミングＴ０で動画データＤ１の撮影が開始したとする。図７（Ａ）は、動画データＤ１の撮影中の状態を示す。現在のタイミングｔＮＯＷまでに得られた複数のフレーム最大輝度（動画データＤ１の複数のフレーム最大輝度）のうち、現在のタイミングｔＮＯＷのフレーム最大輝度ＬＭＡＸ＿ＮＯＷ「５８０」が最も高い。このため、Ｓ６０２の処理により、動画データＤ１のシーン最大輝度および動画最大輝度として、フレーム最大輝度ＬＭＡＸ＿ＮＯＷ「５８０」が設定されている。
【００６２】
次に、タイミングＴ１で動画データＤ１の撮影が終了したとする。図７（Ｂ）は、動画データＤ１の撮影が終了したタイミングＴ１での状態、つまり現在のタイミングｔＮＯＷがタイミングＴ１である状態を示す。タイミングＴ１までにフレーム最大輝度「５８０」よりも高いフレーム最大輝度が得られており、タイミングＴ１までに得られた複数のフレーム最大輝度（動画データＤ１の複数のフレーム最大輝度）のうち、フレーム最大輝度「６００」が最も高い。このため、Ｓ６０２の処理により、動画データＤ１のシーン最大輝度および動画最大輝度は、輝度「５８０」から輝度「６００」に更新されている。
【００６３】
そして、シーン最大輝度「６００」を示す動的メタデータと動画最大輝度「６００」を示す静的メタデータとが、動画データＤ１に付加される（Ｓ６０４）。静的メタデータと動的メタデータが付加された後の動画データＤ１は、記憶部５０７に記録される（Ｓ６０５）。ここで、動画データＤ１は他の動画データに関連付けられなかったとする。このため、Ｓ６０７の処理は行われず、動画データＤ１の静的メタデータは更新されない。
【００６４】
次に、タイミングＴ２で動画データＤ２の撮影が開始したとする。図７（Ｃ）は、動画データＤ２の撮影が開始したタイミングＴ２での状態、つまり現在のタイミングｔＮＯＷがタイミングＴ２である状態を示す。
【００６５】
そして、タイミングＴ３で動画データＤ２の撮影が終了したとする。図７（Ｄ）は、動画データＤ２の撮影が終了したタイミングＴ３での状態、つまり現在のタイミングｔＮＯＷがタイミングＴ３である状態を示す。タイミングＴ２からタイミングＴ３（現在のタイミングｔＮＯＷ）までに得られた複数のフレーム最大輝度（動画データＤ２の複数のフレーム最大輝度）のうち、フレーム最大輝度「５５０」が最も高い。このため、Ｓ６０２の処理により、動画データＤ２のシーン最大輝度および動画最大輝度として、輝度「５５０」が設定されている。
【００６６】
そして、シーン最大輝度「５５０」を示す動的メタデータと動画最大輝度「５５０」を示す静的メタデータとが、動画データＤ２に付加される（Ｓ６０４）。静的メタデータと動的メタデータが付加された後の動画データＤ２は、記憶部５０７に記録される（Ｓ６０５）。
【００６７】
ここで、動画データＤ２が動画データＤ１に関連付けられたとする。このため、Ｓ６０７の処理により、動画データＤ１の静的メタデータ、または、動画データＤ２の静的メタデータが更新される。具体的には、動画データＤ１の動画最大輝度「６００」が動画データＤ２の動画最大輝度「５５０」よりも高いため、動画データＤ１の動画最大輝度「６００」が示されるように、動画データＤ２の静的メタデータが更新される。動画データＤ２の動的メタデータは更新されず、動画データＤ２のシーン最大輝度「５５０」を示す。図７（Ｅ）は、動画データＤ２の静的メタデータが更新された後の状態を示す。なお、動画データＤ１の動画最大輝度が動画データＤ２の動画最大輝度よりも低い場合には、動画データＤ２の動画最大輝度が示されるように、動画データＤ１の静的メタデータが更新される。
【００６８】
次に、タイミングＴ４で動画データＤ３の撮影が開始し、タイミングＴ５で動画データＤ３の撮影が終了したとする。図７（Ｆ）は、動画データＤ３の撮影が終了したタイミングＴ５での状態、つまり現在のタイミングｔＮＯＷがタイミングＴ５である状態を示す。タイミングＴ４からタイミングＴ５（現在のタイミングｔＮＯＷ）までに得られた複数のフレーム最大輝度（動画データＤ３の複数のフレーム最大輝度）のうち、フレーム最大輝度「１０００」が最も高い。このため、Ｓ６０２の処理により、動画データＤ３のシーン最大輝度および動画最大輝度として、輝度「１０００」が設定されている。
【００６９】
そして、シーン最大輝度「１０００」を示す動的メタデータと動画最大輝度「１０００」を示す静的メタデータとが、動画データＤ３に付加される（Ｓ６０４）。静的メタデータと動的メタデータが付加された後の動画データＤ３は、記憶部５０７に記録される（Ｓ６０５）。
【００７０】
ここで、動画データＤ３が動画データＤ１，Ｄ２に関連付けられたとする。このため、Ｓ６０７の処理により、動画データＤ１，Ｄ２の静的メタデータ、または、動画データＤ３の静的メタデータが更新される。具体的には、動画データＤ１の静的メタデータと、動画データＤ２の静的メタデータとのそれぞれによって示された共通の輝度（図７（Ｅ）に示す更新後の動画最大輝度）「６００」は、動画データＤ３の動画最大輝度「１０００」よりも低い。このため、動画データＤ３の動画最大輝度「１０００」が示されるように、動画データＤ１，Ｄ２の静的メタデータが更新される。動画データＤ１，Ｄ２の動的メタデータは更新されず、動画データＤ１の動的メタデータは動画データＤ１のシーン最大輝度「６００」を示し、動画データＤ２の動的メタデータは動画データＤ２のシーン最大輝
度「５５０」を示す。図７（Ｇ）は、動画データＤ１，Ｄ２の静的メタデータが更新された後の状態を示す。なお、動画データＤ１，Ｄ２の動画最大輝度（上述した共通の輝度）が動画データＤ３の動画最大輝度よりも高い場合には、動画データＤ１，Ｄ２の動画最大輝度が示されるように、動画データＤ３の静的メタデータが更新される。
【００７１】
図７（Ａ）〜７（Ｇ）に示すように、本実施例では、連結前の動画データに付加される静的メタデータとして、連結動画データの動画最大輝度を示すメタデータを得ることができる。さらに、連結前の動画データに付加される動的メタデータとして、当該動画データや連結動画データのシーン最大輝度を示すメタデータを得ることができる。その結果、好適な静的メタデータや動的メタデータが付加された連結動画データが容易に生成可能になる。一例として、連結前の複数の動画データにそれぞれ付加された複数の静的メタデータのいずれかを連結動画データの静的メタデータとして選択するという単純な構成を考える。このような構成において、連結動画データの動画最大輝度を示す静的メタデータを常に選択することができる。
【００７２】
以上述べたように、本実施例によれば、連結前の動画データに対して好適なメタデータを生成して付加することができる。
【００７３】
なお、実施例１と同様に、動的メタデータに関する処理（動的メタデータを生成して動画データに付加する処理）を行わずに、静的メタデータを生成して動画データに付加してもよい。
【００７４】
なお、関連付けの方法によっては、対象データを複数の他の動画データに関連付ける場合において、複数の他の動画データの間で、静的メタデータによって示された輝度が異なることがある。この場合には、例えば、対象データと複数の他の動画データとの複数の静的メタデータによって示された複数の輝度の最大輝度が示されるように、複数の静的メタデータの少なくともいずれかを更新すればよい。
【００７５】
なお、本実施例では、静的メタデータが付加された後の対象データを記録した後に対象データの静的メタデータを更新する例を説明したが、対象データの静的メタデータを更新するタイミングはこれに限らない。対象データを記録する前に、対象データに付加された静的メタデータを更新してもよいし、対象データに静的メタデータを付加する前に、対象データに付加される静的メタデータを更新してもよい。
【００７６】
なお、本実施例では複数の静的メタデータによってそれぞれ示された複数の輝度の最大輝度が示されるように静的メタデータを更新する例を説明したが、更新後の静的メタデータは他の輝度を示してもよい。例えば、複数の輝度の他の代表輝度（最小輝度、最頻輝度、中間輝度、平均輝度など）が示されるように静的メタデータを更新してもよい。
【００７７】
なお、実施例１，２（図１，５）の各ブロックは、個別のハードウェアであってもよいし、そうでなくてもよい。２つ以上のブロックの機能が、共通のハードウェアによって実現されてもよい。１つのブロックの複数の機能のそれぞれが、個別のハードウェアによって実現されてもよい。１つのブロックの２つ以上の機能が、共通のハードウェアによって実現されてもよい。また、各ブロックは、ハードウェアによって実現されてもよいし、そうでなくてもよい。例えば、装置が、プロセッサと、制御プログラムが格納されたメモリとを有していてもよい。そして、装置が有する少なくとも一部のブロックの機能が、プロセッサがメモリから制御プログラムを読み出して実行することにより実現されてもよい。
【００７８】
なお、実施例１，２（上述した変形例を含む）はあくまで一例であり、本発明の要旨の範囲内で実施例１，２の構成を適宜変形したり変更したりすることにより得られる構成も
、本発明に含まれる。
【００７９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８０】
１００：画像処理装置  １０３：メタデータ生成部  １０４：動画データ連結部
１０５：メタデータ付加部
５００：撮像装置  ５０２：撮像素子  ５０５：メタデータ生成部
５０６：メタデータ付加部  ５０８：メタデータ更新部
【図１】
2020102751.tif 000003
【図２】
2020102751.tif 000004
【図３】
2020102751.tif 000005
【図４】
2020102751.tif 000006
【図５】
2020102751.tif 000007
【図６】
2020102751.tif 000008
【図７】
2020102751.tif 000009